(57)【要約】【課題】手摺の設置が床面のみででき、椅子部の不使用時には、座面を収納できる椅子付き手摺を提供する。【解決手段】床面に立設された複数の支柱上端間に亘って設けられた手摺笠木と支柱の下段に設けられた連結杆とこの連結杆に基端が回動可能に設けられた座面からなり、座面は水平状態とこの水平状態から先端が上方へ向けての回動のみ可能であることを特徴とするもので、座面を水平状態とすることで、椅子として座面を使用することができ、座面の不使用時には垂直状態の収納姿勢をとることができ、収納性に優れる。又、座面裏面の先端部に支持脚の基端が回動可能に設けられ、座面が水平になされたときにこの支持脚が床面に当接されて座面を支持するようになされれば、座面に使用者が座ったときにその体重を支持脚を介して床面で支持することができる。【選択図】        図２
2006305210.tif 000002
【特許請求の範囲】
【請求項１】
床面に立設された複数の支柱上端間に亘って設けられた手摺笠木と支柱の下段に設けられた連結杆とこの連結杆に基端が回動可能に設けられた座面からなり、座面は水平状態とこの水平状態から先端が上方へ向けての回動のみ可能であることを特徴とする椅子付き手摺。
【請求項２】
座面裏面の先端部に支持脚の基端が回動可能に設けられ、座面が水平になされたときにこの支持脚が床面に当接されて座面を支持するようになされたことを特徴とする請求項１記載の椅子付き手摺。
【請求項３】
支持脚の基部と支柱とに亘って座面と平行なリンクバーが設けられ、座面の回動位置に関わらず支持脚が垂直状態に保持されるようになされた請求項２記載の椅子付き手摺。
【請求項４】
座面と連結杆がダンパーヒンジ及びラッチ付きヒンジで連結されたことを特徴とする請求項１〜３のいずれかに記載の椅子付き手摺。
【発明の詳細な説明】
【技術分野】
【０００１】
本発明は、玄関などの建物の出入り口に設置されて、建物の出入りの時の履き物を履いたり脱いだりする動作を補助する椅子付き手摺に関する。
【背景技術】
【０００２】
【特許文献１】特開２００４−１６２３８号  従来、玄関などの建物の出入り口には、土間と屋内の床面の間に段差が設けられていることが多い。通常この段差は健常者を対象にして、外出や家に戻ったときにこの段差に腰を下ろして靴等の履物を履いたり、脱いだりするのに適した比較的大きな段差に設定されていた。したがって、高齢者や身障者にとってはこの段差を昇り降りをすることが非常に困難であった。そこでその対策として、この段差を低くすることや、その昇り降りを補助するために身体を支える手すりを段差近傍の壁面に設けることが提案されている。しかしながら、このように段差を小さくすると、靴を履いたり脱いだりすることが、高齢者や身障者にとって非常に困難な動作となる。そこで別の対策として、段差は低くして、その代わりに玄関の土間にベンチを設けることが提案されている。
【０００３】
又、特開２００４−１６２３８号には、屋内出入り口の段差を有する上がり框近傍に設けられた手すり付ベンチにおいて、使用者が着座するベンチを構成する座面部材と、上がり框近傍の壁面に固定され、使用者の移動を補助するため鉛直方向に配置された鉛直方向部と、前記鉛直方向部に連続して水平方向に配置された水平部とをもつ手すり部材とからなり、前記座面部材は前記手すり部材に前記水平部で連接されていることを特徴とする手すり付ベンチが提案されている。
【発明の開示】
【発明が解決しようとする課題】
【０００４】
特開２００４−１６２３８号に提案されている手すり付ベンチにおいては、手すり部材は座面部材と連接されて一体的に構成されているので、標準取り付け位置を設定しておけば両者の取り合いが施工方法によってばらつくこともなく、施工が簡単になり施工性やトータルデザイン等も向上し、価格的にも安価にできるものの、手摺が壁面に取り付けられるようになっているため、壁面強度の弱いところへの設置がしにくいという問題があった。又、ベンチが固定されているため、ベンチを使用しないときに邪魔になり易いという問題があった。
【０００５】
そこで、本発明者は、手摺の設置が床面のみででき、椅子部の不使用時には、座面を収納できる椅子付き手摺を提供するものである。
【課題を解決するための手段】
【０００６】
本発明請求項１記載の椅子付き手摺は、床面に立設された複数の支柱上端間に亘って設けられた手摺笠木と支柱の下段に設けられた連結杆とこの連結杆に基端が回動可能に設けられた座面からなり、座面は水平状態とこの水平状態から先端が上方へ向けての回動のみ可能であることを特徴とするもので、座面を水平状態とすることで、椅子として座面を使用することができ、座面の不使用時には垂直状態の収納姿勢をとることができ、収納性に優れる。
【０００７】
本発明請求項２記載の椅子付き手摺は、座面裏面の先端部に支持脚の基端が回動可能に設けられ、座面が水平になされたときにこの支持脚が床面に当接されて座面を支持するようになされたことを特徴とする請求項１記載のもので、座面に使用者が座ったときにその体重を支持脚を介して床面で支持することができる。
【０００８】
本発明請求項３記載の椅子付き手摺は、支持脚の基部と支柱とに亘って座面と平行なリンクバーが設けられ、座面の回動位置に関わらず支持脚が垂直状態に保持されるようになされた請求項２記載のもので、支持脚に偏荷重がかかりにくく、座面の支持が確実となる。
【０００９】
本発明請求項４記載の椅子付き手摺は、座面と連結杆がダンパーヒンジ及びラッチ付きヒンジで連結されたことを特徴とする請求項１〜３のいずれかに記載のもので、座面の下降時に手が離れても座面が落下することがなく、座面の収納状態が維持されやすい。
【発明の効果】
【００１０】
本発明請求項１記載の椅子付き手摺は、床面に立設された複数の支柱上端間に亘って設けられた手摺笠木と支柱の下段に設けられた連結杆とこの連結杆に基端が回動可能に設けられた座面からなり、座面は水平状態とこの水平状態から先端が上方へ向けての回動のみ可能であることを特徴とするもので、座面を水平状態とすることで、椅子として座面を使用することができ、座面の不使用時には垂直状態の収納姿勢をとることができ、収納性に優れる。
【００１１】
本発明請求項２記載の椅子付き手摺は、座面裏面の先端部に支持脚の基端が回動可能に設けられ、座面が水平になされたときにこの支持脚が床面に当接されて座面を支持するようになされたことを特徴とする請求項１記載のもので、座面に使用者が座ったときにその体重を支持脚を介して床面で支持することができる。
【００１２】
本発明請求項３記載の椅子付き手摺は、支持脚の基部と支柱とに亘って座面と平行なリンクバーが設けられ、座面の回動位置に関わらず支持脚が垂直状態に保持されるようになされた請求項２記載のもので、支持脚に偏荷重がかかりにくく、座面の支持が確実となる。
【００１３】
本発明請求項４記載の椅子付き手摺は、座面と連結杆がダンパーヒンジ及びラッチ付きヒンジで連結されたことを特徴とする請求項１〜３のいずれかに記載のもので、座面の下降時に手が離れても座面が落下することがなく、座面の収納状態が維持されやすい。
【発明を実施するための最良の形態】
【００１４】
以下、図面を参照しながら本発明に付いて説明する。
図１は本発明椅子付き手摺の座面の収納状態の一例を示す正面図である。
図において、１は支柱であり、床面から垂直に立設されている。この一対の支柱１の上端間に亘って手摺笠木２が設けられている。支柱１の中央より稍下よりの位置が連結杆３で連結され、この連結杆３に座面４の基端がダンパーヒンジ５とラッチ付きヒンジ６を介して回動可能に連結されている。図１において、座面４の裏面には板状の支持脚７が設けられている。
【００１５】
図２は図１のＡ−Ａ断面図であり、２点鎖線で座面４が水平の状態を表記している。支持脚７の基端は座面４の先端側の裏面に回動可能に連結されている。又、支持脚７の基部と連結杆３とに亘ってリンクバー８が回動可能に設けられ、座面４基端の回動中心と、支持脚７下端の回動中心とリンクバー８の両端の回動中心のそれぞれの距離が相対する辺の距離と等距離となされてロバーバルリンクが形成され、座面４が上下に回動されたとき支持脚７が支柱１と平行に、則ち垂直となるようになされている。この例においては連結杆３は板状体からなっているがこれに限るものではなく管体などの型材が適宜用いられればよい。
【００１６】
図３は支持脚７を透視した状態を示す正面図の拡大図であり、破線で表記した部分が、支持脚７の背後に隠れている部分である。連結杆３と座面４の基端は、ダンパーヒンジ５とラッチ付きヒンジ６により回動可能に連結されている。支持脚７は図において上端で座面４の上端に一対のサイドヒンジ９で回動可能に連結されている。支持脚７の上側中央はリンクバー８と回動可能に連結され、リンクバー８の下端は連結杆３と連結されている。
【００１７】
手摺笠木２は、この例では下面に手指の係りのための凹凸が設けられたものが示されているが、断面円形や長円形などの適宜形状のものが用いられればよい。手摺笠木２は木や合成樹脂、金属管など適宜材質から作成されればよいが、金属管などの金属型材に軟質の合成樹脂が被覆されたものが好適に用いられる。
【００１８】
本発明におけるダンパーヒンジ５はヒンジにオイルダンパーやエアダンパーを組み合わせたものが適宜用いられればよく、座面４の下降時のスピードを減衰させ、座面４の下降時に途中で手を離したときも安全に座面４が降下する。
【００１９】
図４はラッチ付きヒンジ６の正面図であり、図５は図４のＢ−Ｂ断面図であり、図６は座面４を水平状態にしたときの図４のＢ−Ｂ位置での断面図を示す。筐体６１内に設けられたラッチ６２は背後から押圧バネ６３により押され、カム６４に当接されている。カム６４は上面と左側面が平面となされ、ラッチ６２は上面と左側面の位置で保持されるようになっている。このラッチ付きヒンジ６の作用により、座面４を垂直状態に収納したときも座面４が倒れてくることを防いでいる。
【図面の簡単な説明】
【００２０】
【図１】本発明椅子付き手摺の座面の収納状態の一例を示す正面図である。
【図２】図１のＡ−Ａ断面図である。
【図３】支持脚を透視した状態を示す正面図の拡大図である。
【図４】ラッチ付きヒンジの正面図である。
【図５】図４のＢ−Ｂ断面図である。
【図６】座面を水平状態にしたときの図４のＢ−Ｂ位置での断面図である。
【符号の説明】
【００２１】
１      支柱
２      手摺笠木
３      連結杆
４      座面
５      ダンパーヒンジ
６      ラッチ付きヒンジ
６１    筐体
６２    ラッチ
６３    押圧バネ
６４    カム
７      支持脚
８      リンクバー
９      サイドヒンジ
【図１】
2006305210.tif 000003
【図２】
2006305210.tif 000004
【図３】
2006305210.tif 000005
【図４】
2006305210.tif 000006
【図５】
2006305210.tif 000007
【図６】
2006305210.tif 000008